(57)【要約】  本願が提供する可撓性太陽エネルギーモジュールのバスバー敷設装置は、作業台、送り台、カートリッジ、押し板及び送り出し機構を含む。送り台は作業台に固設されており、その上にはシュートが設置されている。カートリッジは送り台に設置され、バスバーを収納し、バスバーを搬出する切欠き部を設けており、切欠き部はシュートに連通されている。押し板はシュート及び切欠き部と摺動嵌合しており、その厚さはシュートの深さよりも厚く、送り出し機構は押し板に固定連結されている。本願に係る可撓性太陽エネルギーモジュールのバスバー敷設装置は、バスバーの自動的な搬送と敷設の作業を実現し、バスバーのプロセスタクトを向上させると共に、人件費を節約し、バスバーの敷設状態も保証することができる。
2021507499.tif 000002
【特許請求の範囲】
【請求項１】
モジュールを敷設するバックプレートを支持する作業台と、
前記作業台に固定設置され、シュートが設けられている送り台と、
バスバーを収納し、前記送り台に設置されて、前記シュートと連通してバスバーを搬出する切欠き部が設けられている、カートリッジと、
前記シュート及び切欠き部と摺動嵌合し、厚さが前記シュートの深さよりも厚い押し板と、
前記押し板と固定連結されている送り出し機構と、を含む、ことを特徴とする可撓性太陽エネルギーモジュールのバスバー敷設装置。
【請求項２】
前記作業台に設置され、モジュールを敷設するバックプレートの位置を制限する位置決め機構を更に含む、ことを特徴とする請求項１に記載の可撓性太陽エネルギーモジュールのバスバー敷設装置。
【請求項３】
前記位置決め機構は、前記作業台に固定連結され前記押し板の移動方向に位置する第１の位置決めブロックと、前記作業台に回動連結され前記押し板の移動方向に対して垂直な方向に位置する第２の位置決めブロックと、を含むことを特徴とする請求項２に記載の可撓性太陽エネルギーモジュールのバスバー敷設装置。
【請求項４】
前記カートリッジは取り外し可能に前記送り台に設置されている、ことを特徴とする請求項１に記載の可撓性太陽エネルギーモジュールのバスバー敷設装置。
【請求項５】
前記送り台は、材料棚と斜めに設置されている送り板とを含み、前記材料棚には前記カートリッジが設置されており、前記送り板の一端は前記材料棚に連結されており、他端は前記作業台の面との間で前記バックプレートを収容できる設定隙間を有する、ことを特徴とする請求項１に記載の可撓性太陽エネルギーモジュールのバスバー敷設装置。
【請求項６】
前記送り台は材料棚、送り板及び調節機構を含み、前記材料棚には前記カートリッジが設置されており、前記送り板は前記材料棚とヒンジ連結されており、前記調節機構は前記送り板を設定位置に位置決めする、ことを特徴とする請求項１に記載の可撓性太陽エネルギーモジュールのバスバー敷設装置。
【請求項７】
前記調節機構は第１のレバー、第２のレバー及び締め付け部材を含み、前記第１のレバーの第１の端部は前記材料棚に連結されており、前記第１のレバーの第２の端部は前記第２のレバーの第１の端部に摺動連結されており、前記第２のレバーの第２の端部は前記送り板に連結されており、前記締め付け部材は前記第１のレバーの第２の端部と前記第２のレバーの第１の端部とを締め付け固定する、ことを特徴とする請求項６に記載の可撓性太陽エネルギーモジュールのバスバー敷設装置。
【請求項８】
前記調節機構は第１のレバー、第２のレバー及び締め付け部材を含み、前記第１のレバーの第１の端部は前記材料棚に連結されており、前記第１のレバーの第２の端部は前記第２のレバーの第１の端部にヒンジ連結されており、前記第２のレバーの第２の端部は前記送り板に連結されており、前記締め付け部材は前記第１のレバーの第２の端部と前記第２のレバーの第１の端部とを締め付けて固定する、ことを特徴とする請求項６に記載の可撓性太陽エネルギーモジュールのバスバー敷設装置。
【請求項９】
前記送り板と前記作業台のバックプレート面との角度は２０度〜３０度である、ことを特徴とする請求項５〜８のいずれか一項に記載の可撓性太陽エネルギーモジュールのバスバー敷設装置。
【請求項１０】
前記送り出し機構はシリンダと制御ケースとを含み、前記制御ケースは前記作業台に固定設置され、前記制御ケースの中には前記シリンダの動作を制御するコントローラが設けられており、前記シリンダは前記制御ケースに固定設置されており、前記シリンダのピストンロッドは前記押し板と固定連結されている、ことを特徴とする請求項１に記載の可撓性太陽エネルギーモジュールのバスバー敷設装置。
【発明の詳細な説明】
【技術分野】
【０００１】
本願は、太陽光モジュール製造の技術分野に関し、特に可撓性太陽エネルギーモジュールのバスバー敷設装置に関する。
【背景技術】
【０００２】
従来の剛性太陽光モジュールに比べ、可撓性太陽光モジュールは軽薄で湾曲可能で、適用範囲がより広いが、可撓性太陽光モジュールのメーカーが少なく、関連する敷設設備も整っておらず、自動化生産の実現が難しい。例えば、可撓性モジュールのバスバーの敷設について、従来技術において、一般的に手動で敷設しており、バスバーの作用は、正負極の電流を集合して、コネクタケースの取り付けと電流の導出を便利にするため、負極バスバーはセルストリング全体を貫通しており、その長さはセルストリングの長さに相当する。また、市場のニーズを満たすため、１つのモジュールの長さは３メートルに達し、モジュールのバスバーも３メートルになり、このように長いバスバーを生産するには一定の困難がある。可撓性モジュールにおけるバスバーはいずれも比較的に薄長く、銅材で形成され、非常にやわらかい。通常、手動でバスバーを敷設する際には少なくとも二人が同時に、それぞれバスバーの両端を持ち上げてバスバーボックスから取り外してバックプレートにモジュールの敷設作業をする必要がある。バスバーは敷設された後、よく湾曲の波状になり、それを更に手動で平坦にしなければならない。しかし、作業員が平坦にする作業を忘れて次の工程に移行してしまうと、積層した後のモジュールは波紋が出る確率が大幅に増加し、外観不良をもたらし、制御が難しくなる。また、手動でバスバーを敷設する効率は非常に低く、タクトタイムが長く、生産ライン全体の生産効率が低い。更に、バスバーは金属材質で、厚さが薄いため、エッジの部分が比較的に鋭い。でも、便利に操作を行うために、通常、作業者は耐カット手袋を着用することができず、一般的なゴム手袋を着用して作業をしなければならない。このようにすると、ひとたび操作が適切でなければ、不注意による裂傷等の事故が起こりやすい。
【発明の概要】
【発明が解決しようとする課題】
【０００３】
本願は、上記従来技術における、バスバーを手動で敷設し、作業中に傷つきやすいなどの課題を解決するために、バスバーの自動的な敷設を実現する、可撓性太陽エネルギーモジュールのバスバー敷設装置を提供する。
【課題を解決するための手段】
【０００４】
本願にて提供される可撓性太陽エネルギーモジュールのバスバー敷設装置は、モジュールを敷設するバックプレートを支持する作業台と、
前記作業台に固定設置され、シュートが設けられている送り台と、
バスバーを収納し、前記送り台に設置されて、前記シュートと連通してバスバーを搬出する切欠き部が設けられているカートリッジと、
前記シュート及び切欠き部と摺動嵌合し、厚さが前記シュートの深さよりも厚い押し板と、
前記押し板と固定連結されている送り出し機構とを含む。
【０００５】
好ましくは、上記可撓性太陽エネルギーモジュールのバスバー敷設装置は、前記作業台に設置され、モジュールを敷設するバックプレートの位置を制限する位置決め機構を更に含む。
【０００６】
好ましくは、上記可撓性太陽エネルギーモジュールのバスバー敷設装置において、前記位置決め機構は、前記作業台に固定連結され前記押し板の移動方向に位置する第１の位置決めブロックと、前記作業台に回動連結され前記押し板の移動方向に対して垂直な方向に位置する第２の位置決めブロックとを含む。
【０００７】
好ましくは、上記可撓性太陽エネルギーモジュールのバスバー敷設装置において、前記カートリッジは取り外し可能に前記送り台に設置される。
【０００８】
好ましくは、上記可撓性太陽エネルギーモジュールのバスバー敷設装置において、前記送り台は材料棚と斜めに設置されている送り板とを含み、前記材料棚には前記カートリッジが設置されており、前記送り板は一端が前記材料棚に連結されており、他端が前記作業台の面との間で前記バックプレートを収容できる設定隙間を有する。
【０００９】
好ましくは、上記可撓性太陽エネルギーモジュールのバスバー敷設装置において、前記送り台は材料棚、送り板及び調節機構を含み、前記材料棚には前記カートリッジが設置されており、前記送り板は前記材料棚とヒンジ連結されており、前記調節機構は前記送り板を設定位置に位置決めする。
【００１０】
好ましくは、上記可撓性太陽エネルギーモジュールのバスバー敷設装置において、前記調節機構は第１のレバー、第２のレバー及び締め付け部材を含み、前記第１のレバーの第１の端部は前記材料棚に連結されており、前記第１のレバーの第２の端部は前記第２のレバーの第１の端部に摺動連結されており、前記第２のレバーの第２の端部は前記送り板に連結されており、前記締め付け部材は前記第１のレバーの第２の端部と前記第２のレバーの第１の端部とを締め付けて固定する。
【００１１】
好ましくは、上記可撓性太陽エネルギーモジュールのバスバー敷設装置において、前記調節機構は第１のレバー、第２のレバー及び締め付け部材を含み、前記第１のレバーの第１の端部は前記材料棚に連結されており、前記第１のレバーの第２の端部は前記第２のレバーの第１の端部にヒンジ連結されており、前記第２のレバーの第２の端部は前記送り板に連結されており、前記締め付け部材は前記第１のレバーの第２の端部と前記第２のレバーの第１の端部とを締め付けて固定する。
【００１２】
好ましくは、上記可撓性太陽エネルギーモジュールのバスバー敷設装置において、前記送り板と作業台の面との角度は２０度〜３０度である。
【００１３】
好ましくは、上記可撓性太陽エネルギーモジュールのバスバー敷設装置において、前記送り出し機構はシリンダと制御ケースとを含み、前記制御ケースは前記作業台に固設され、その中には前記シリンダの動作を制御するコントローラが設けられており、前記シリンダは前記制御ケースに固定設置され、前記シリンダのピストンロッドが前記押し板と固定連結されている。
【００１４】
本願にて提供される可撓性太陽エネルギーモジュールのバスバー敷設装置は、バスバーの自動的な搬送と敷設作業を実現し、バスバーのプロセスタクトを向上させると共に、人件費を節約し、バスバーの敷設状態も保証する。
【図面の簡単な説明】
【００１５】
【図１】図１は、本願の実施例にて提供される可撓性太陽エネルギーモジュールのバスバー敷設装置の構造模式図である。
【図２】図２は、押し板が材料を押す前の状態の図である。
【図３】図３は、押し板が材料を押している状態の図である。
【図４】図４は、押し板が材料を押した後の状態の図である。
【発明を実施するための形態】
【００１６】
以下、本願の実施例について、下記の図面を参照しながら詳細に説明する。全ての図面において、同一又は類似の符号は、同一又は類似の要素、或いは同一又は類似の機能を有する要素を示す。図面を参照して説明する下記の実施例は、本願を解釈するためのものに過ぎず、本願を限定するものではない。
【００１７】
図１〜図４を参照すると、本願の実施例にて提供される可撓性太陽エネルギーモジュールのバスバー敷設装置は、作業台１００、送り台２００、カートリッジ４００、押し板３００及び送り出し機構５００を含む。作業台１００はモジュールを敷設するバックプレート８００を支持する。送り台２００は作業台１００に固定設置されており、シュートを設けている。カートリッジ４００は送り台２００に設置されており、バスバー９００を収納し、バスバー９００を搬出する切欠き部を設けており、切欠き部はシュートに連通している。押し板３００はシュート及び切欠き部に摺動嵌合しており、その厚さはシュートの深さよりも厚い。送り出し機構５００は押し板３００に固定連結されている。
【００１８】
太陽光モジュールのバックプレート８００上でバスバー９００の敷設プロセスを行う際、バスバー９００が収納されたカートリッジ４００は送り台２００に固定し、カートリッジ４００における切欠き部と送り台２００におけるシュートとを位置合わせし、押し板３００はシュートのエッジの初期位置に設ける。図２に示すように、バスバー９００の長さは一般的に長く、バスバー９００を作業台１００の上面に置いた後、押し板３００の厚さがシュートの深さより大きいため、押し板３００は押す過程にバスバー９００のエッジ部分に当接することにより、バスバー９００を切欠き部から押し出す。具体的に、バックプレート８００が設定位置に到達したことが検出されると、送り出し機構５００は起動し、シュートに沿って押し板３００を連動して駆動することにより、切欠き部からバスバー９００を押し出してバックプレート８００に搬送し、敷設作業を完了する。図３及び図４に示すように、押し板３００がカートリッジ４００の最も下方のバスバー９００を押す過程において、当該バスバー９００の上方に積み重ねた他のバスバー９００は次第に押し板３００に下落する。図３に示すように、垂直方向における切欠き部の高さは一つのバスバー９００の厚さよりも厚く、且つ二つのバスバー９００を積み重ねた厚みより薄いため、下方のバスバー９００が押し出される過程において、上方のバスバー９００は阻止される。カートリッジ４００の最も下方のバスバー９００が押し出されると、押し板３００は送り出し機構５００の作用により戻り運動をし、押し板３００に積み重ねられたバスバー９００は押し板３００の戻りに伴って次第に送り台２００に下落し、従って、次のバスバー９００の送り出しと敷設の作業を容易に行うことができる。
【００１９】
従来技術と比較して、本願の実施例にて提供される可撓性太陽エネルギーモジュールのバスバーの敷設装置は、バスバー９００の自動的な搬送と敷設の作業を実現し、従来技術における人手による運搬による低い敷設効率を解決すると共に、人手により運搬する際に、バスバー９００エッジ部分により傷付けることも防止することができる。
【００２０】
バスバー９００の送り出し工程中に、押し板３００とシュートとの間で摩擦干渉が発生し、押し板３００が比較的に大きい摺動抵抗を受けることを防止するために、押し板３００の両端はそれぞれシュートの両側の壁との間で隙間を保持してもよい。
【００２１】
更に、図１に示すように、バックプレート８００の搬送位置に対して位置決めるために、可撓性太陽エネルギーモジュールのバスバーの敷設装置は、モジュールを敷設するバックプレート８００の位置を制限する位置決め機構を更に含み、当該位置決め機構は作業台１００に設置されている。
【００２２】
具体的に、位置決め機構は、押し板３００の移動方向に位置する第１の位置決めブロック６００と、押し板３００の移動方向に対して垂直な方向に位置する第２の位置決めブロック７００とを含んでおり、第１の位置決めブロック６００は作業台１００に固定連結されており、第２の位置決めブロック７００は作業台１００に回動連結されている。第１の位置決めブロック６００は、バックプレート８００の搬送方向に対して垂直な方向におけるバックプレート８００の位置決めを実現する。第２の位置決めブロック７００は、バックプレート８００の搬送方向におけるバックプレート８００の位置決めを実現する。バックプレート８００が作業台１００に搬送された後、バックプレート８００のエッジ部分は第１の位置決めブロック６００及び第２の位置決めブロック７００に当接し、バックプレート８００へのバスバー９００の敷設作業が完成すると、第２の位置決めブロック７００を作業台１００から離れる側へ回動させることにより、バスバー９００が敷設されたバックプレート８００を作業台１００から便利に搬出することができる。バスバー９００を敷設する、次のバックプレート８００を位置決めする場合、第２の位置決めブロック７００を再び作業台１００側へ回動させることによって、バックプレート８００の位置決めをうまく制御することができる。
【００２３】
オンライン状態でバスバー９００をカートリッジ４００に配置しで、人手によりバスバー９００を送り台２００に搬送することを回避するため、本実施例では、カートリッジ４００を取り外し可能に送り台２００に設けている。これにより、カートリッジ４００をバスバー９００の収納領域に設置することを可能にしている。一定数量のバスバー９００をカートリッジ４００に配置し、バスバー９００が収納されたカートリッジ４００を送り台２００に搬送しかつ取り付けることによって、搬送過程におけるバスバー９００の折り曲げ、変形、損傷等のリスクを低減することができる。
【００２４】
更に、実施例において、図１に示すように、送り台２００は材料棚２１０と斜めに設置されている送り板２２０とを含み、カートリッジ４００は材料棚２１０に設置されており、送り板２２０は、一端が材料棚２１０に連結されており、他端が作業台１００の面との間でバックプレート８００を収容できる設定隙間を有する。バスバー９００は、押し板３００によって切欠き部から押し出された後、その自体の重量によって送り板２２０に沿ってバックプレート８００に摺動し、バスバー９００を便利に敷設することができる。
【００２５】
バックプレート８００が送り板２２０の下方に搬送されることにより、バスバー９００がバックプレート８００に滑り落ちることが保証できる。搬送過程において、バックプレート８００と送り板２２０との干渉の発生を防止するために、送り板２２０と作業台１００との間の距離はバックプレート８００の厚さより大きい。
【００２６】
他の1つの実施例において、送り台は材料棚２１０、送り板２２０及び調節機構を含んでおり、カートリッジ４００は材料棚２１０に設置されており、送り板２２０は材料棚２１０とヒンジ連結されており、調節機構は送り板２２０を設定位置に位置決める。送り板２２０は材料棚２１０とヒンジでヒンジ連結されることによって、送り板２２０の反転を実現し、送り板２２０の送り角度の調節を便利にし、異なる寸法のバスバー９００を送る要求を満たす。
【００２７】
選択可能な実施形態において、調節機構は第１のレバー、第２のレバー及び締め付け部材を含む。第１のレバーの第１の端部は材料棚２１０に連結されており、第１のレバーの第２の端部は第２のレバーの第１の端部に摺動連結されており、第２のレバーの第２の端部は送り板２２０に連結されており、締め付け部材は第１のレバーの第２の端部と第２のレバーの第１の端部とを締め付けて固定する。これにより、第１のレバーと第２のレバーの相対的な摺動によって調節機構全体の長さを変え、送り板２２０の角度に対する調節を実現する。締め付け部材はボルトとナットであってもよく、第１のレバーと第２のレバーとの相対位置を調節した後、ボルトとナットを嵌合することによって第１のレバーと第２のレバーの相対位置を締め付けて固定することができる。
【００２８】
別の選択可能な実施形態において、調節機構は第１のレバー、第２のレバー及び締め付け部材を含む。第１のレバーの第１の端部は材料棚２１０に連結されており、第１のレバーの第２の端部は第２のレバーの第１の端部にヒンジ連結されており、第２のレバーの第２の端部は送り板２２０に連結されており、締め付け部材は第１のレバーの第２の端部と第２のレバーの第１の端部とを締め付けて固定する。第１のレバーと第２のレバーとの間の角度は０度〜９０度の間で変えることができる。
【００２９】
もちろん、第１のレバーと第２のレバーとの間は他の調節可能な構造形態であってもよい。例えば、第１のレバーに複数の穴を設け、第２のレバーの第１の端部に凸軸を設けてもよい。凸軸をいずれかの１つの穴内に選択的に挿入することにより、調節機構の全体長さの調節を実現し、更に、送り板２２０の角度の調節を実現する。
【００３０】
また、当該調節機構は伸縮シリンダでもよく、電気制御の方法で調節機構の長さ調節を実現し、更に、送り板２２０の反転角度に対する制御を実現することができる。
【００３１】
更に、バスバー９００は、比較的に長いので送り板２２０からバックプレート８００に滑り落ちる過程に傾斜しやすく、バックプレート８００上で比較的に良好な稼動状態を得ることができず、バスバー９００の一端がバックプレート８００に滑落ちて、他端が送り板２２０に残ってしまう問題が発生する可能性もある。当該問題を解決するために、本実施例において、送り板２２０にガイド構造を設けてもよい。具体的に、当該ガイド構造は、板状構造でもよく、当該板状構造は送り板２２０の長さ方向の両端に対称に設けてもよい。バスバー９００の両端はそれぞれ板状のガイド構造と隙間嵌合し、それにより、バスバー９００をガイド構造に沿ってバックプレート８００に滑り落とせることができ、滑動過程におけるバスバー９００の傾斜を防止することができる。
【００３２】
なお、送り板２２０の傾斜度が大きすぎると、バスバー９００の滑落し加速度が大きくなり、バスバー９００とバックプレート８００との間の衝撃力が大きくなる。これによるバスバー９００の破損、或いはバックプレート８００の表面状態に及ぼす影響を回避し、かつ、送り板２２０の傾斜度が小さすぎてバスバー９００がうまく滑り落ちないことを回避するために、本実施例において、送り板２２０と作業台１００上のバックプレート８００面との間の角度は２０度〜３０度であり、好ましくは２５度である。
【００３３】
更に、図１に示すように、送り出し機構５００はシリンダ５１０と制御ケース５２０とを含む。制御ケース５２０の内にはシリンダ５１０の動作を制御するコントローラが設置されており、制御ケース５２０は作業台１００に固定設置されている。シリンダ５１０は制御ケース５２０に固定設置されている。シリンダ５１０のピストンロッドは押し板３００と固定連結されており、制御ケース５２０内のコントローラを通じてシリンダ５１０に対する自動制御を実現し、更に、押し板３００の往復運動を実現する。
【００３４】
本願の実施例にて提供される可撓性太陽エネルギーモジュールのバスバーの敷設装置は、バスバーの自動的な搬送と敷設の作業を実現し、バスバーのプロセスタクトを向上させると共に、人件費を節約し、バスバーの敷設状態も保証する。
【００３５】
以上、図面に示した実施例により、本願の構造、特徴及び作用効果を詳細に説明したが、上記内容は本願の好ましい実施例に過ぎない。本願は図面に示す内容に実施範囲を限定するものではなく、本願の構想に基づいた変更又は同等の変化に相当する実施例の修正が明細書と図面の主旨を超えていない場合、全て本願の保護範囲内に含まれるべきである。
【産業上の利用可能性】
【００３６】
本願にて提供される可撓性太陽エネルギーモジュールのバスバー敷設装置は、バスバーの自動的な搬送と敷設作業を実現し、バスバーのプロセスタクトを向上させると共に、人件費を節約し、バスバーの敷設状態も保証することができる。手作業でバスバーを敷設する生産効率が低い現在の工業社会にとって、本願の装置は特に必要となる創造的なものである。
【符号の説明】
【００３７】
１００−作業台
２００−送り台
２１０−材料棚
２２０−送り板
３００−押し板
４００−カートリッジ
５００−送り出し機構
５１０−シリンダ
５２０−制御ケース
６００−第１の位置決めブロック
７００−第２の位置決めブロック
８００−バックプレート
９００−バスバー
【図１】
2021507499.tif 000003
【図２】
2021507499.tif 000004
【図３】
2021507499.tif 000005
【図４】
2021507499.tif 000006
【国際調査報告】
2021507499.tif 000007
2021507499.tif 000008
2021507499.tif 000009
2021507499.tif 000010
2021507499.tif 000011
2021507499.tif 000012